(57)【特許請求の範囲】
【請求項１】
ディスプレイモジュールを収容する凹溝を内側に具えた第一フレームと、
第二フレームであって、エッジフレーム及び複数の該エッジフレームに連接するサイドフレームを具え、該第一フレームと組み合わされる時に、該第一フレームの一部周縁を包囲し、且つ該エッジフレームが該ディスプレイモジュールの一部表面を被覆する、該第二フレームと、
により構成され、電子装置システムのシステムサポートフレームに液晶ディスプレイモジュールを取り付けるための、液晶ディスプレイモジュール固定構造において、
そのうち、最低一つの該サイドフレームには、該電子装置システムのシステムサポートフレームの固定孔に対応し、固定ネジで該システムサポートフレームの該固定孔と螺着される最低一つの固定ネジ孔、及び該システムサポートフレームに向けて突出する最低一つの突出部を設け、該突出部は、該固定ネジ孔を挟んで該エッジフレームとの連接エッジと反対側に位置し、該固定ネジ孔の中心点から該連接エッジまでの垂直間隔は該突出部から該連接エッジまでの垂直間隔より短く、未螺着時に、該固定ネジ孔と該突出部との間の部分の該システムサポートフレーム下方において、該サイドフレームに形成された該突出部により該システムサポートフレームが突き上げられることで、該システムサポートフレームと該サイドフレームとの間に空隙が形成されていることを特徴とするディスプレイモジュール固定構造。
【請求項２】
請求項１記載のディスプレイモジュール固定構造において、前記第二フレームの二つの相対するサイドフレームにはそれぞれ、前記固定ネジ孔を設けることを特徴とするディスプレイモジュール固定構造。
【請求項３】
請求項１記載のディスプレイモジュール固定構造において、前記エッジフレーム、及び前記サイドフレームは合わせて一体化することを特徴とするディスプレイモジュール固定構造。
【請求項４】
請求項１記載のディスプレイモジュール固定構造において、前記突出部は、円形突出点であることを特徴とするディスプレイモジュール固定構造。
【請求項５】
請求項１記載のディスプレイモジュール固定構造において、前記突出部は、棒状突出体であることを特徴とするディスプレイモジュール固定構造。
【請求項６】
請求項１記載のディスプレイモジュール固定構造において、前記突出部は、前記固定ネジ孔のエッジに位置することを特徴とするディスプレイモジュール固定構造。
【請求項７】
請求項１記載のディスプレイモジュール固定構造において、前記突出部は、近くにある二つの固定ネジ孔間に位置することを特徴とするディスプレイモジュール固定構造。
【請求項８】
ライト源を提供するバックライトモジュールと、
該バックライトモジュールの一側面に位置し、バックライトモジュールの提供するライト源を受け取る液晶ディスプレイパネルモジュールと、
該バックライトモジュール及び該液晶ディスプレイパネルモジュールを中に入れる凹溝を具えた第一フレームと、
第二フレームであって、エッジフレーム及び複数の該エッジフレームに連接するサイドフレームを具え、該第一フレームと組み合わされる時に、該第一フレームの一部周縁を包囲し、且つ該エッジフレームが該ディスプレイモジュールの一部表面を被覆する、該第二フレームと、
により構成され、電子装置システムのシステムサポートフレームに取り付けられる、液晶ディスプレイモジュールにおいて、
そのうち、最低一つの該サイドフレームには、該電子装置システムのシステムサポートフレームの固定孔に対応し、固定ネジで該システムサポートフレームの該固定孔と螺着される最低一つの固定ネジ孔、及び該システムサポートフレームに向けて突出する最低一つの突出部を設け、該突出部は、該固定ネジ孔を挟んで該エッジフレームとの連接エッジと反対側に位置し、該固定ネジ孔の中心点から該連接エッジまでの垂直間隔は該突出部から該連接エッジまでの垂直間隔より短く、未螺着時に、該固定ネジ孔と該突出部との間の部分の該システムサポートフレーム下方において、該サイドフレームに形成された該突出部により該システムサポートフレームが突き上げられることで、該システムサポートフレームと該サイドフレームとの間に空隙が形成されていることを特徴とする、液晶ディスプレイモジュール。
【請求項９】
請求項８記載の液晶ディスプレイモジュールにおいて、前記第二フレームの二つの相対するサイドフレームにはそれぞれ、前記固定ネジ孔を設けることを特徴とする液晶ディスプレイモジュール。
【請求項１０】
請求項８記載の液晶ディスプレイモジュールにおいて、前記エッジフレーム、及び前記サイドフレームは合わせて一体化することを特徴とする液晶ディスプレイモジュール。
【請求項１１】
請求項８記載の液晶ディスプレイモジュールにおいて、前記突出部は、円形突出点であることを特徴とする液晶ディスプレイモジュール。
【請求項１２】
請求項８記載の液晶ディスプレイモジュールにおいて、前記突出部は、棒状突出体であることを特徴とする液晶ディスプレイモジュール。
【請求項１３】
請求項８記載の液晶ディスプレイモジュールにおいて、前記突出部は、該固定ネジ孔のエッジに位置することを特徴とする液晶ディスプレイモジュール。
【請求項１４】
請求項８記載の液晶ディスプレイモジュールにおいて、前記突出部は、近くにある二つの固定ネジ孔間に位置することを特徴とする液晶ディスプレイモジュール。
【発明の詳細な説明】
【技術分野】
【０００１】
本発明は、ディスプレイモジュール固定構造、及びその固定構造を具える液晶ディスプレイモジュールに関するものであり、特に、液晶ディスプレイモジュールがその操作時に引き起こす表示画面異常現象（例えば、波紋や圧迫性の光漏れ）を防ぐことのできるディスプレイモジュール固定構造、及びその固定構造を具えた液晶ディスプレイモジュールを提供する。
【背景技術】
【０００２】
現在、液晶ディスプレイモジュールは、例えば携帯電話、ノートブックパソコン、携帯情報端末（ＰＤＡ）等の携帯型電子装置において広く応用されて、その表示機能を提供している。図１に示すとおり、ノートブックパソコン１は、本体１１およびディスプレイ１２の二つの部分を含んでおり、ディスプレイ１２は、液晶ディスプレイモジュール１３をそのシステムサポートフレーム１２１に螺着固定する方法により作られている。しかし、この種の固定方式は、固定ネジを使って螺着しており、並びに、これらの固定ネジ（未図示）は、螺着する場合、ねじり力を、液晶ディスプレイモジュールのパネルフレーム（未図示）に持続的に加える故、パネルフレームの変形を常に引き起こし、また液晶ディスプレイモジュールのディスプレイ画面に、図１に示した波紋現象のような異常が発生する。このような異常表示現象の詳細原因は次のとおりである。
【０００３】
図２は、図１中のＡ−Ａ’断面線に沿って得られたディスプレイ１２の断面概略図である。その内、液晶ディスプレイモジュール１３は、第一フレーム（カバー体）１４、液晶ディスプレイパネルモジュール１５、バックライトモジュール１６、及びパネルフレーム１７である。
液晶ディスプレイモジュール１３をディスプレイ１２のシステムサポートフレーム１２１に固定する場合は、固定ネジ１８をシステムサポートフレーム１２１及びパネルフレーム１７の固定ネジ孔に螺着する。この時、固定ネジ１８によって持続的なねじり力をパネルフレーム１７に加えると、パネルフレーム１７は変形し、エッジフレーム１７１が液晶ディスプレイパネルモジュール１５の上表面１５１を圧迫し、上表面１５１のへこみ現象を招く。これは図２に示すとおりである。よって、液晶ディスプレイモジュール１３の表示画面には異常が発生（波紋もしくは圧迫性漏光）、ディスプレイ１２全体の表示品質に影響を与える。
【０００４】
このパネルフレーム１７が変形して液晶ディスプレイモジュール１３の表面を圧迫する問題を克服する為に、図３に示した解決方式を提案する者もあった。この方式は、パネルフレーム２のエッジフレーム２１及びサイドフレーム２２の接触箇所に複数の緩衝孔を形成する方式であり（即ち、それぞれ固定ネジ孔２２１、２２２エッジに位置する二つの緩衝孔２３１、２３２）、これにより、固定ネジ（未図示）が加えるねじり力がエッジフレーム２１上に伝わるのを阻止、更に、エッジフレーム２１が液晶ディスプレイモジュール１３の表面を圧迫する程度を軽減する。しかし、この種の緩衝孔を形成する方式は、やはり多くの欠点が残されている。まず、パネルフレーム上に穴を開けると、パネルフレーム全体の構造強度を弱め、液晶ディスプレイモジュールの外界衝撃への抵抗を保護できなくなる。次に、これらの緩衝孔２３１、２３２は、直接上方向にエッジフレーム２１まで伝えるねじり力を阻止できるが、これらのねじり力は、二つの緩衝孔２３１、２３２の間を経由して一部がエッジフレーム２１に伝えられる。よって、この種の方式は、固定ネジに近い部分の表示画面異常現象を解決するものであるが、この異常現象はやはり発生の可能性があり、ただ発生位置が二つの固定ネジの間に移動しただけである。よって、この種のパネルフレームに緩衝孔を開ける方式は、液晶ディスプレイモジュール表示画面の異常現象発生を抑えることはできない。
【０００５】
よって、業界においては、構造が簡単で、ディスプレイモジュールのパネルフレームを破壊することのない全体構造強度と、液晶ディスプレイモジュール表示画面の異常現象（波紋や圧迫性漏光）を防ぐことのできるディスプレイモジュールの固定構造、及びこの固定構造を具えた液晶ディスプレイモジュールが必要とされている。
【発明の開示】
【発明が解決しようとする課題】
【０００６】
本発明のディスプレイモジュール固定構造は、ディスプレイを中に入れる凹溝を内側に具えた第一フレームと、エッジフレーム及び複数の該エッジフレームに連接するサイドフレームを具えた第二フレームとを含んでおり、該第二フレームと該第一フレームを組み合わせた時、該第二フレームは、該第一フレームの一部周縁を包み込み、該エッジフレームは、該ディスプレイモジュールの一部表面を覆うものであり、最低一つのサイドフレームには、最低一つの固定ネジ孔、及び最低一つの突出部を設け、並びに、該突出部は、該固定ネジ孔を挟んでエッジフレームと反対側に位置する。
【０００７】
本発明の液晶ディスプレイモジュールは、ライト源を提供するバックライトモジュールと、該バックライトモジュールの一方側に位置し、バックライトモジュールの提供するライト源を受け取る液晶ディスプレイパネルモジュールと、該バックライトモジュール及び液晶ディスプレイパネルモジュールを中に入れる凹溝を内側に具えた第一フレームと、エッジフレーム及び複数の該エッジフレームに連接するサイドフレームを具えた第二フレームとを含み、該第二フレームと第一フレームとを組み合わせた場合、該第二フレームは、該第一フレームの一部周縁を包み込み、該エッジフレームは、該液晶ディスプレイパネルモジュールの一部表面を覆うものであり、その内の最低一つの該サイドフレームには、最低一つの固定ネジ孔、及び最低一つの突出部を設け、該突出部は、該固定ネジ孔を挟んでエッジフレームと反対側に位置する。
【０００８】
よって、複数の固定ネジを使用して本発明のディスプレイモジュール固定構造、及びそれに固定するディスプレイモジュールをノートブックパソコンのように電子装置のシステムサポートフレームに螺着する場合、本発明のディスプレイモジュール固定構造は、該第二フレーム（パネルフレーム）のサイドフレームに突設した突出部（突出部の形態には制限を設けず、長細い棒状突出体、短い棒状突出体もしくは各種形状の突出点）により、該第二フレーム（パネルフレーム）が、これら固定ネジが加えるねじり力によって生じる変形程度を制限する。即ち、これら突出部がある故、本発明のディスプレイモジュール固定構造を具えた液晶ディスプレイモジュールを、ノートブックパソコンのように電子装置に固定した場合、本発明のディスプレイモジュール固定構造における第二フレーム（パネルフレーム）のエッジフレームは、液晶ディスプレイモジュールの上表面を圧迫することがない。逆に、本発明のディスプレイモジュール固定構造のエッジフレームは、却って液晶ディスプレイモジュールの上表面に一定間隔を保たせ、両者間には、緩衝空間を形成する。よって、本発明のディスプレイモジュール固定構造の液晶ディスプレイモジュールを、ノートブックパソコンのシステムサポートフレームに固定した後、該表示画面は異常現象（波紋もしくは圧迫性漏光）を引き起こすことなく、更に、該液晶ディスプレイモジュールの表示品質を向上させることができる。
【０００９】
本発明のディスプレイモジュール固定構造の第二フレーム（パネルフレーム）は、任意数の最低一つの固定ネジ孔を設けたサイドフレームを具え、該第二フレーム（パネルフレーム）の良好例において、二つの相対するサイドフレームには、それぞれ最低一つの固定ネジ孔を設ける。本発明のディスプレイモジュール固定構造のサイドフレームには、任意数の固定ネジ孔を設け、その固定ネジ孔数の良好例は、８未満である。本発明のディスプレイモジュール固定構造の第二フレーム（パネルフレーム）は、任意方式により形成され、その良好例は、エッジフレーム及び複数のサイドフレームを一体成形する方法によって形成するか、結合部品を使用してエッジフレーム及び複数のサイドフレームを一体結合する方法により形成する。本発明のディスプレイモジュール固定構造の第二フレーム（パネルフレーム）は、任意材質で構成され、その良好例は、金属、プラスチック、もしくは二者組成物により構成される。本発明のディスプレイモジュール固定構造の第一フレーム（カバー体）は、任意材質により構成され、その良好例は、金属、プラスチック、もしくは二者組成物により構成される。本発明のディスプレイモジュール固定構造の第二フレーム（パネルフレーム）のサイドフレームには、システムサポートフレームに向けて突出する任意数、及び任意形式の突出部を突設、該良好例は、最低一つの円形突出点もしくは最低一つの棒状突出体である。本発明のディスプレイモジュール固定構造の第二フレーム（パネルフレーム）のサイドフレームに具えた突出部は、サイドフレームの任意位置に突設し、その良好例は、最低一つの固定ネジ孔のエッジに突設するか、近くにある二つの固定ネジ孔間に突設する。
【００１０】
本発明の液晶ディスプレイモジュールに具えた第二フレーム（パネルフレーム）は、任意数の最低一つの固定ネジ孔を設けたサイドフレームを具え、良好例である該第二フレーム（パネルフレーム）の二つの相対するサイドフレームには、それぞれ最低一つの固定ネジ孔を設ける。本発明の液晶ディスプレイモジュールに具えた第二フレーム（パネルフレーム）のサイドフレームは、任意数の固定ネジ孔を設け、その固定ネジ孔数の良好例は、８未満である。本発明の液晶ディスプレイモジュールに具えた第二フレーム（パネルフレーム）は、任意方式により形成され、その良好例としては、エッジフレーム及び複数のサイドフレームを一体成形する方法によって形成するか、結合部品を使用してエッジフレーム及び複数のサイドフレームを一体結合する方法により形成する。本発明の液晶ディスプレイモジュールに具えた第二フレーム（パネルフレーム）は、任意材質で構成され、その良好例は、金属、プラスチック、もしくは二者組成物により構成される。本発明の液晶ディスプレイモジュールに具えた第一フレーム（カバー体）は、任意材質により構成され、その良好例は、金属、プラスチック、もしくは二者組成物により構成される。本発明の液晶ディスプレイモジュールに具えた第二フレーム（パネルフレーム）のサイドフレームには、任意数、及び任意形式の突出部を突設、その良好例は、最低一つの円形突出点もしくは最低一つの棒状突出体である。本発明の液晶ディスプレイモジュールに具えた第二フレーム（パネルフレーム）のサイドフレームの突出部は、サイドフレームの任意位置に突設し、その良好例は、最低一つの固定ネジ孔のエッジフレームに突設するか、近くにある二つの固定ネジ孔間に突設する。本発明の液晶ディスプレイモジュールは、任意形式の電子商品に応用可能であり、その良好例は、ノートブックパソコン、デスクトップパソコン、携帯電話、全ての携帯型電子装置への応用がある。
【課題を解決するための手段】
【００１１】
請求項１の発明は、ディスプレイモジュールを収容する凹溝を内側に具えた第一フレームと、
第二フレームであって、エッジフレーム及び複数の該エッジフレームに連接するサイドフレームを具え、該第一フレームと組み合わされる時に、該第一フレームの一部周縁を包囲し、且つ該エッジフレームが該ディスプレイモジュールの一部表面を被覆する、該第二フレームと、
により構成され、電子装置システムのシステムサポートフレームに液晶ディスプレイモジュールを取り付けるための、液晶ディスプレイモジュール固定構造において、
そのうち、最低一つの該サイドフレームには、該電子装置システムのシステムサポートフレームの固定孔に対応し、固定ネジで該システムサポートフレームの該固定孔と螺着される最低一つの固定ネジ孔、及び該システムサポートフレームに向けて突出する最低一つの突出部を設け、該突出部は、該固定ネジ孔を挟んで該エッジフレームとの連接エッジと反対側に位置し、該固定ネジ孔の中心点から該連接エッジまでの垂直間隔は該突出部から該連接エッジまでの垂直間隔より短く、未螺着時に、該固定ネジ孔と該突出部との間の部分の該システムサポートフレーム下方において、該サイドフレームに形成された該突出部により該システムサポートフレームが突き上げられることで、該システムサポートフレームと該サイドフレームとの間に空隙が形成されていることを特徴とするディスプレイモジュール固定構造としている。
請求項２の発明は、請求項１記載のディスプレイモジュール固定構造において、前記第二フレームの二つの相対するサイドフレームにはそれぞれ、前記固定ネジ孔を設けることを特徴とするディスプレイモジュール固定構造としている。
請求項３の発明は、請求項１記載のディスプレイモジュール固定構造において、前記エッジフレーム、及び前記サイドフレームは合わせて一体化することを特徴とするディスプレイモジュール固定構造としている。
請求項４の発明は、請求項１記載のディスプレイモジュール固定構造において、前記突出部は、円形突出点であることを特徴とするディスプレイモジュール固定構造としている。
請求項５の発明は、請求項１記載のディスプレイモジュール固定構造において、前記突出部は、棒状突出体であることを特徴とするディスプレイモジュール固定構造としている。
請求項６の発明は、請求項１記載のディスプレイモジュール固定構造において、前記突出部は、前記固定ネジ孔のエッジに位置することを特徴とするディスプレイモジュール固定構造としている。
請求項７の発明は、請求項１記載のディスプレイモジュール固定構造において、前記突出部は、近くにある二つの固定ネジ孔間に位置することを特徴とするディスプレイモジュール固定構造としている。
【００１２】
請求項８の発明は、ライト源を提供するバックライトモジュールと、
該バックライトモジュールの一側面に位置し、バックライトモジュールの提供するライト源を受け取る液晶ディスプレイパネルモジュールと、
該バックライトモジュール及び該液晶ディスプレイパネルモジュールを中に入れる凹溝を具えた第一フレームと、
第二フレームであって、エッジフレーム及び複数の該エッジフレームに連接するサイドフレームを具え、該第一フレームと組み合わされる時に、該第一フレームの一部周縁を包囲し、且つ該エッジフレームが該ディスプレイモジュールの一部表面を被覆する、該第二フレームと、
により構成され、電子装置システムのシステムサポートフレームに取り付けられる、液晶ディスプレイモジュールにおいて、
そのうち、最低一つの該サイドフレームには、該電子装置システムのシステムサポートフレームの固定孔に対応し、固定ネジで該システムサポートフレームの該固定孔と螺着される最低一つの固定ネジ孔、及び該システムサポートフレームに向けて突出する最低一つの突出部を設け、該突出部は、該固定ネジ孔を挟んで該エッジフレームとの連接エッジと反対側に位置し、該固定ネジ孔の中心点から該連接エッジまでの垂直間隔は該突出部から該連接エッジまでの垂直間隔より短く、未螺着時に、該固定ネジ孔と該突出部との間の部分の該システムサポートフレーム下方において、該サイドフレームに形成された該突出部により該システムサポートフレームが突き上げられることで、該システムサポートフレームと該サイドフレームとの間に空隙が形成されていることを特徴とする液晶ディスプレイモジュールとしている。
請求項９の発明は、請求項８記載の液晶ディスプレイモジュールにおいて、前記第二フレームの二つの相対するサイドフレームにはそれぞれ、前記固定ネジ孔を設けることを特徴とする液晶ディスプレイモジュールとしている。
請求項１０の発明は、請求項８記載の液晶ディスプレイモジュールにおいて、前記エッジフレーム、及び前記サイドフレームは合わせて一体化することを特徴とする液晶ディスプレイモジュールとしている。
請求項１１の発明は、請求項８記載の液晶ディスプレイモジュールにおいて、前記突出部は、円形突出点であることを特徴とする液晶ディスプレイモジュールとしている。
請求項１２の発明は、請求項８記載の液晶ディスプレイモジュールにおいて、前記突出部は、棒状突出体であることを特徴とする液晶ディスプレイモジュールとしている。
請求項１３の発明は、請求項８記載の液晶ディスプレイモジュールにおいて、前記突出部は、該固定ネジ孔のエッジに位置することを特徴とする液晶ディスプレイモジュールとしている。
請求項１４の発明は、請求項８記載の液晶ディスプレイモジュールにおいて、前記突出部は、近くにある二つの固定ネジ孔間に位置することを特徴とする液晶ディスプレイモジュールとしている。
【発明の効果】
【００１３】
本発明のディスプレイモジュール固定構造、及びそれに固定するディスプレイモジュールは、液晶ディスプレイモジュールがその操作時に引き起こす表示画面異常現象（例えば、波紋や圧迫性漏光）を防ぐことを特徴とする。
【発明を実施するための最良の形態】
【００１４】
図４に、本発明の第一実施例に関するディスプレイモジュール固定構造の第二フレーム（パネルフレーム）の概略図を示す。本発明の第一実施例のディスプレイモジュール固定構造は、ディスプレイモジュール（例：液晶ディスプレイモジュール、プラズマディスプレイモジュール、電界放出ディスプレイ（ＦＥＤ）モジュール、有機ＥＬディスプレイモジュール等）を中に入れる第一フレーム（未図示）及び第二フレーム３１を含む。その内、第二フレーム３１は、エッジフレーム３１１及びサイドフレーム３１２、３１３を含み、該サイドフレーム３１２には、複数の固定ネジ孔３１４を設ける。図４に示すとおり、サイドフレーム３１２のエッジフレーム３１１から離れた反対側には棒状突出体３１５を突設、且つ、該棒状突出体３１５は、サイドフレーム３１２のエッジに平行延伸しており、よって、これらサイドフレーム３１２に設けた固定ネジ孔３１４の中心点（未図示）から連接エッジ３１６までの垂直間隔は、棒状突出体３１５から連接エッジ３１６までの垂直間隔より短くなる。説明が必要な点は、図式を簡略化する為に、本発明の第一実施例に関するディスプレイモジュール固定構造の第一フレーム（カバー体）は、本図においては省略されている。
【００１５】
図５に、本発明の第一実施例に関するディスプレイモジュール固定構造の液晶ディスプレイモジュールの断面概略図を示す。その内、本発明の第一実施例のディスプレイモジュール固定構造の断面は、図４のＢ−Ｂ’断面線に沿って得られたものである。それが示すとおり、液晶ディスプレイモジュールは、遮光及び保護機能を提供する第二フレーム３１、ライト源を提供するバックライトモジュール３２、表示機能を提供する液晶ディスプレイパネルモジュール３３、及びバックライトモジュール３２及び液晶ディスプレイパネルモジュール３３を凹溝に入れる第一フレーム３４と、を含む。この時、第二フレーム３１のエッジフレーム３１１は、液晶ディスプレイパネルモジュール３３の上表面３３１に平行した方向に延伸しており、並びに、上表面３３１のエッジ部分を覆っている。
【００１６】
続いて、本発明の第一実施例に関するディスプレイモジュール固定構造を具えた液晶ディスプレイモジュールを、例えばノートブックパソコンのような電子装置システムに取り付ける場合、この液晶ディスプレイモジュールを、この電子装置システムのシステムサポートフレーム３５にまず位置対応させることにより、これらの液晶ディスプレイモジュールのサイドフレーム３１２に形成した固定ネジ孔３１４は、一つ一つ、システムサポートフレーム３５の固定孔（未図示）に対応する。次に、固定ネジ３６を一つ一つ第二フレーム３１の固定ネジ孔３１４に螺着する。これにより、この液晶ディスプレイモジュールは、例えばノートブックパソコンのような電子装置システム中に緊密に固定され、これは図６に示すとおりである。
【００１７】
しかしながら、固定ネジ３６を第二フレーム３１の固定ネジ孔３１４に螺着する場合、これら固定ネジ３６は、第二フレーム３１においてねじり力を持続的に発生させ、第二フレーム３１を異なる程度に変形する結果を招く。公知のディスプレイモジュール固定構造と異なる点は、本発明の第一実施例に関するディスプレイモジュール固定構造の第二フレーム３１のサイドフレーム３１２エッジに棒状突出体３１５を突設している点であり、それは、固定ネジ３６を螺着する場合、サイドフレーム３１２の下半部（即ち、固定ネジ孔３１４下方部分）に力を働かせ、第二フレーム３１の移動方向及び変形程度を制御する。これにより、固定ネジ３６を螺着した後、本発明の第一実施例に関するディスプレイモジュール固定構造のエッジフレーム３１１は、液晶ディスプレイパネルモジュール３３の上表面３３１を圧迫することがない。反対に、本発明の第一実施例におけるディスプレイモジュール固定構造の第二フレーム３１のエッジフレーム３１１は、却って若干上向きに傾斜する故、それと液晶ディスプレイパネルモジュール３３の上表面３３１間に緩衝空間３７を形成する。よって、本発明の第一実施例におけるディスプレイモジュール固定構造は、それに固定する液晶ディスプレイパネルモジュール３３の表示画面異常現象（波紋や圧迫性漏光）の発生を防ぐことができ、並びに、本発明の第一実施例におけるディスプレイモジュール固定構造の構造強度は、却って増強するものとなる。
【００１８】
図７は、本発明の第二実施例に関するディスプレイモジュール固定構造の第二フレームの概略図である。その内、第二フレーム４は、エッジフレーム４１及びサイドフレーム４２、４３を具え、並びに、該サイドフレーム４２には、複数の固定ネジ孔４４を設ける。図７に示すとおり、サイドフレーム４２において、二つの固定ネジ孔４４のエッジの、エッジフレーム４１と反対側の位置にそれぞれ、棒状突出体４５１、４５２を突設している故、これらの固定ネジ孔４４の中心点（未図示）から連接エッジ４６（エッジフレーム４１とサイドフレーム４２間）までの垂直間隔は、棒状突出体４５１及び棒状突出体４５２から連接エッジ４６までの垂直間隔より短い。説明が必要な点は、図を簡略化する為に、本発明の第二実施例に関するディスプレイモジュール固定構造の第一フレーム（カバー体）及びそれに固定するディスプレイモジュール（例えば液晶ディスプレイモジュール等）は、本図においては省略した。
【００１９】
前述したとおり、本発明の第二実施例に関するディスプレイモジュール固定構造のディスプレイモジュール（例えば、液晶ディスプレイモジュール、プラズマディスプレイモジュール、電界放出ディスプレイ（ＦＥＤ）モジュール、有機ＥＬディスプレイモジュール等）を一つの電子装置（例えば、ノートブックパソコン、ＰＤＡ、もしくは任意の携帯型ディスプレイ装置）に固定する場合、本発明の第二実施例に関するディスプレイモジュール固定構造の第二フレーム４のエッジフレーム４１は、それに固定するディスプレイモジュール（未図示）の表面を圧迫することがない。よって、本発明の第二実施例に関するディスプレイモジュール固定構造は、それに固定するディスプレイモジュールの表示画面に異常現象（波紋や圧迫性漏光）が発生するのを防ぐことができる。
【００２０】
図８は、本発明の第三実施例に関するディスプレイモジュール固定構造の第二フレーム５の概略図である。その内、第二フレーム５は、エッジフレーム５１及びサイドフレーム５２、５３を具え、並びに、該サイドフレーム５２には、複数の固定ネジ孔５４を設ける。図８に示すとおり、サイドフレーム５２の一部固定ネジ孔５４間には、円形突出点５５１、５５２を突設し、並びに、その一部固定ネジ孔５４のエッジフレーム５１から離れた逆側に、円形突出点５５３を突設している故、これらの固定ネジ孔５４の中心点（未図示）から連接エッジ５６（エッジフレーム５１とサイドフレーム５２間）までの垂直間隔は、円形突出点５５１、５５２、５５３から連接エッジ５６までの垂直間隔より短い。また、図を簡略化する為に、本発明の第三実施例に関するディスプレイモジュール固定構造の第一フレーム及びそれに固定するディスプレイモジュール（例えば、液晶ディスプレイモジュール、電界放出ディスプレイ（ＦＥＤ）モジュール、プラズマディスプレイモジュール、及び有機ＥＬディスプレイモジュール等）は、本図においては省略した。
【００２１】
前述したとおり、本発明の第三実施例に関するディスプレイモジュール固定構造を具えたディスプレイモジュール（例えば、液晶ディスプレイモジュール、プラズマディスプレイモジュール、電界放出ディスプレイ（ＦＥＤ）モジュール、有機ＥＬディスプレイモジュール等）を一つの電子装置（例えば、ノートブックパソコン、ＰＤＡ、もしくは任意の携帯型ディスプレイ装置）に固定する場合、本発明の第三実施例に関するディスプレイモジュール固定構造の第二フレーム５のエッジフレーム５１は、該液晶ディスプレイモジュール（未図示）の表面を圧迫することがない。よって、本発明の第三実施例に関するディスプレイモジュール固定構造は、それに固定するディスプレイモジュールの表示画面に異常現象（波紋や圧迫性漏光）が発生するのを防ぐことができる。
【００２２】
上述したとおり、複数の固定ネジを使用して本発明のディスプレイモジュール固定構造、及びそれに固定するディスプレイモジュールをノートブックパソコンのように電子装置のシステムサポートフレームに螺着する場合、本発明のディスプレイモジュール固定構造は、該第二フレームのサイドフレームに突設した突出部（突出部の形態には制限を設けず、長細い棒状突出体、短い棒状突出体もしくは各種形状の突出点）により、該第二フレームがこれら固定ネジが加えるねじり力によって生じる変形程度を制限する。即ち、これら突出部により、本発明のディスプレイモジュール固定構造を具えた液晶ディスプレイモジュールを、ノートブックパソコンのように電子装置に固定する時、本発明のディスプレイモジュール固定構造の第二フレームのエッジフレームは、液晶ディスプレイモジュールの上表面を圧迫することがない。逆に、本発明のディスプレイモジュール固定構造のエッジフレームは、却って液晶ディスプレイモジュールの上表面に一定間隔を保ち、両者間には、緩衝空間を形成する。よって、本発明のディスプレイモジュール固定構造の液晶ディスプレイモジュールをノートブックパソコンのシステムサポートフレームに固定した後、該表示画面は異常現象（波紋もしくは圧迫性漏光）を引き起こすことなく、更に、該液晶ディスプレイモジュールの表示品質を向上させることができる。
【図面の簡単な説明】
【００２３】
【図１】公知の液晶ディスプレイモジュールを具えたノートブックパソコンの概略図である。
【図２】図１中のＡ−Ａ’断面線に沿って得られたディスプレイの断面概略図である。
【図３】もう一つの公知の液晶ディスプレイモジュールのパネルフレームの概略図である。
【図４】本発明の第一実施例に関するディスプレイモジュール固定構造のパネルフレーム概略図である。
【図５】本発明の第一実施例に関するディスプレイモジュール固定構造の液晶ディスプレイモジュールの断面概略図である。その内、本発明の第一実施例のディスプレイモジュール固定構造の断面は、図４のＢ−Ｂ’断面線に沿って得られたものである。
【図６】本発明の第一実施例に関するディスプレイモジュール固定構造を具えた液晶ディスプレイモジュールを、電子装置のシステムサポートフレームに螺着した状態の概略図である。
【図７】本発明の第二実施例に関するディスプレイモジュール固定構造のパネルフレーム概略図である。
【図８】本発明の第三実施例に関するディスプレイモジュール固定構造のパネルフレーム概略図である。
【符号の説明】
【００２４】
１      ノートブックパソコン
１１    本体
１２    ディスプレイ
１２１  システムサポートフレーム
１３    液晶ディスプレイモジュール
１４    第一フレーム
１５    液晶ディスプレイパネルモジュール
１５１  上表面
１６    バックライトモジュール
１７    第二フレーム（パネルフレーム）
１７１  エッジフレーム
１８    固定ネジ
２      第二フレーム（パネルフレーム）
２１    エッジフレーム
２２    サイドフレーム
２２１、２２２  固定ネジ孔
２３１、２３２  緩衝孔
３１    第二フレーム
３１１  エッジフレーム
３１２、３１３  サイドフレーム
３１４  固定ネジ孔
３１５  棒状突出体
３１６  連接エッジ
３２    バックライトモジュール
３３    液晶ディスプレイパネルモジュール
３３１  上表面
３４    第一フレーム
３５    システムサポートフレーム
３６    固定ネジ
３７    緩衝空間
４      第二フレーム
４１    エッジフレーム
４２、４３  サイドフレーム
４４    固定ネジ孔
４５１、４５２  棒状突出体
４６    連接エッジ
５      第二フレーム
５１    エッジフレーム
５２、５３  サイドフレーム
５４    固定ネジ孔
５５１、５５２、５５３  円形突出点
５６    連接エッジ
【図１】
0004514766.tif 000002
【図２】
0004514766.tif 000003
【図３】
0004514766.tif 000004
【図４】
0004514766.tif 000005
【図５】
0004514766.tif 000006
【図６】
0004514766.tif 000007
【図７】
0004514766.tif 000008
【図８】
0004514766.tif 000009